(57)【要約】【課題】携帯電話の大きさや形状が限定されず、確実にポケットに留めておくことができ、屈み込んでも落下しない携帯電話ポケットホルダを提供する。【解決手段】両端部に各々ガイド片１４を備え携帯電話３６を保持可能な平面状の収納部１２と、収納部１２の上端中央から背面に沿って舌状に形成され、外面に係止用の被係止部２０が設けられた留め具１８を備える。留め具１８の側方に各々設けられたクリップ２２と、収納部１２の下端から一体に延出した帯状の保持帯２４と、保持帯２４の先端部に設けられ被係止部２２と連結される係止部２６とを備える。収納部１２に携帯電話３６を入れ保持帯２４により包み込んで、保持帯先端部の係止部２６を留め具１８外面に設けられた被係止部２０に係止する。【選択図】図１
2007282914.tif 000002
【特許請求の範囲】
【請求項１】
携帯電話を保持可能なガイド片を両側縁部に備えた平面状の収納部と、前記収納部の上端中央から背面に沿って舌状に形成され、外面に係止用の被係止部が設けられた留め具と、前記留め具の側方に設けられたクリップと、前記収納部の下端から一体に延出した帯状の保持帯と、前記保持帯の先端部に設けられ前記被係止部と連結される係止部とを備え、前記収納部に携帯電話を入れ前記保持帯により包み込んで、前記保持帯先端部の係止部を前記留め具外面に設けられた被係止部に係止可能に形成されたことを特徴とする携帯電話ポケットホルダ。
【請求項２】
前記留め具に設けられた被係止部と、前記保持帯端部に設けられた係止部が、面ファスナにより形成されていることを特徴とする請求項１記載の携帯電話ポケットホルダ。
【請求項３】
前記収納部上の前記ガイド片間の中間位置に一端が固定され、前記保持帯中央に複数設けられた挿通部に挿通されて引き出し可能に形成された取り出し紐を備えたことを特徴とする請求項１記載の携帯電話ポケットホルダ。
【発明の詳細な説明】
【技術分野】
【０００１】
この発明は、衣服のポケットに携帯電話を収納する際に用いる携帯電話ポケットホルダに関する。
【背景技術】
【０００２】
従来、携帯電話は、ポケットに収納する場合が多く、特に、胸ポケットに収納した場合では、物を拾う際などに屈み込むと、ポケットから落下して傷が付いたり、落下の衝撃により破損して使用できなくなったりする場合もあった。そのため、ポケットからの落下を防止するため、伸縮自在なコイル状の紐を備えたストラップが知られている。このストラップには、紐の端にクリップが設けられており、ポケットに携帯電話を収納する場合に、ポケットの縁などの適宜な位置にクリップを固定して、ポケットから携帯電話が落下しても地面などに落ちてしまうのを防止するものであった。
【０００３】
特許文献１では、Ｔ字状に形成された携帯端末ホルダに携帯電話を収納し、携帯端末ホルダに設けられたクリップにより、ポケット端部を狭持するようにポケット内部へ収容する携帯端末ホルダが開示されている。また、特許文献２では、内部に液体が封入されたクッション備え、収納した携帯電話を狭持可能に形成された脱落防止収納ケースが開示されている。
【０００４】
さらに、特許文献３では、携帯電話を収納して、被服やベルトなどへ被装着可能にクリップ形成された携帯電話機用キャリングケースが開示されている。
【特許文献１】特開２００２−８４３５４号公報
【特許文献２】特開２００３−２２５１１２号公報
【特許文献３】特開２００１−１５７６０５号公報
【発明の開示】
【発明が解決しようとする課題】
【０００５】
上記従来の技術では、伸縮自在なコイル状の弾性体が設けられたストラップを携帯電話に装着して、弾性体に設けられたクリップをポケット内部に固定しても、屈み込んだ際に、ポケットから落下する携帯電話の勢いにより、クリップが外れて、落下する問題があった。
【０００６】
また、長めに形成されたストラップでは、場合により地面に当たることがあり、地面に落下しなくても、ポケットから飛び出した携帯電話が、周辺にぶつかる可能性があり、傷が付いたり衝撃により破損したりする問題があった。
【０００７】
特許文献１では、ホルダに携帯電話を装着する際に、保持機構部と擦れて傷が付く問題があった。また、保持機構部により携帯電話を狭持するため、携帯電話の大きさや形状が限定される問題があった。特許文献２では、携帯電話を収納するケース内部に液体が封入されたクッションにより、携帯電話を狭持可能に形成されるが、携帯電話の大きさや形状が限定され、適正な大きさや形状でなければ、屈み込むと落下する可能性が残るものであった。また、特許文献３では、携帯電話に被着して収納するケースであるが、携帯電話それぞれの形状に合わせて専用に形成されるため、利用者は、携帯電話を換える度に、専用のケースを用意するする必要があり、経済的ではなかった。さらに、ケース裏のクリップのみで、ベルトなどに留めるため、確実に留めておくことができなかった。
【０００８】
この発明は、上記従来技術の問題に鑑みて成されたもので、携帯電話の大きさや形状が限定されず、確実にポケットに留めておくことができ、屈み込んでも落下しない携帯電話ポケットホルダを提供することを目的とする。
【課題を解決するための手段】
【０００９】
この発明は、携帯電話を保持可能なガイド片を両側縁部に備えた平面状の収納部と、前記収納部の上端中央から背面に沿って舌状に形成され、外面に係止用の被係止部が設けられた留め具と、前記留め具の側方に設けられたクリップと、前記収納部の下端から一体に延出した帯状の保持帯と、前記保持帯の先端部に設けられ前記被係止部と連結される係止部とを備え、前記収納部に携帯電話を入れ前記保持帯により包み込んで、前記保持帯先端部の係止部を前記留め具外面に設けられた被係止部に係止可能に形成された携帯電話ポケットホルダである。
【００１０】
さらに、前記留め具に設けられた被係止部と、前記保持帯端部に設けられた係止部が、面ファスナにより形成されている。
【００１１】
前記収納部上の前記ガイド片間の中間位置に一端が固定され、前記保持帯中央に複数設けられた挿通部に挿通されて引き出し可能に形成された取り出し紐を備えたものである。
【発明の効果】
【００１２】
この発明の携帯電話ポケットホルダによれば、携帯電話の大きさや形状に関わりなく保持帯に携帯電話を包み込んで、確実にポケットに留めておくことができ、屈み込んでも落下しないものである。また、面ファスナを用いた場合、保持帯の開閉が簡単で、取り出し紐により、保持帯に包み込まれた携帯電話を容易に、取り出すことができるものである。
【発明を実施するための最良の形態】
【００１３】
以下、この発明の携帯電話ポケットホルダの一実施形態について、図１〜図５を基にして説明する。この実施形態の携帯電話ポケットホルダ１０は、図１、図２に示すように、折り曲げ不能な硬質な素材、例えば合成樹脂材料により形成されほぼ矩形の収納部１２を有し、その長手方向の両側縁部に、板状に形成されたガイド片１４が、収納部１２に対して直角に起立して各々設けられている。ガイド片１４の上端部は、図２（ｂ）に示すように、収納部１２上端側では僅かに高く隆起し、なだらかな曲線を描いて、形成されている。また、収納部１２の上端部には、半円状のストラップ取付部１６が設けられ、ストラップ１５の金具が着脱可能に形成されている。収納部１２の背面には、図３に示すように、上端中央から背面に沿って略矩形の舌状に樹脂や金属から成る留め具１８が設けられ、その外面に、例えば、面ファスナなどの被係止部２０が設けられている。留め具１８の両側には、開閉可能に形成され、狭持面に鋭角な突起が形成されたクリップ２２が各々設けられている。
【００１４】
収納部１２の下端には、図２（ａ）、図３に示すように、収納部１２より狭く細長い帯状に形成され、折り曲げ自在の樹脂や皮革などから成る保持帯２４が設けられ、収納部との境界部分は、なだらかな曲線を描いて一体に形成されている。ガイド片１４が設けられた収納部１２の面と同一面の保持帯端部２４ａ近傍には、例えば、面ファスナなどの係止部２６が設けられている。また、保持帯２４に沿って、テープ状に形成された取り出し紐２８が設けられている。取り出し紐２８は、ガイド片１４が設けられた収納部１２面の、中央下端位置に形成された止着部３０に、一端が止められている。保持帯２４には、その幅方向中央位置で長手方向に、図１、図２（ａ）に示すように、複数の挿通部３２が設けられ、取り出し紐２８が挿通されている。さらに、取り出し紐２８は、保持帯端部２４ａ近傍の係止部２６にも挿通され、保持帯端部２４ａから引き出し可能形成され、先端に摘み部３４が設けられている。
【００１５】
次に、この実施形態の携帯電話ポケットホルダ１０の使用方法について説明する。図４、図５に示すように、収納部１２のガイド片１４の間に携帯電話３６を位置させ、保持帯２４を携帯電話３６に巻き付けるように被着させる。そして、保持帯２４の係止部２６を、収納部１２に設けられた留め具１８の被係止部２０に係着させて、例えば、胸ポケット３８に収納する。この際、図３に示す留め具１８と収納部１２の間に、胸ポケット３８の布端部を挿入した状態にする。そして、各クリップ２２により、胸ポケット３８の布端を狭持させる。
【００１６】
また、携帯電話３６を携帯電話ポケットホルダ１０から取り出す場合は、まず、保持帯２４の係止部２６を、留め具１８の被係止部２０から外す。次に、保持帯端部２４ａに露出した摘み部３４を徐々に引くと、保持帯２４から取り出し紐２８が引き出される。同時に、携帯電話３６が徐々に引き上げられ、引き上げられた携帯電話３６を掴んで、携帯電話ポケットホルダ１０から取り出す。
【００１７】
この実施形態の携帯電話ポケットホルダ１０によれば、保持帯２４に携帯電話３６が包み込まれて収納されるため、携帯電話３６の大きさや形状が限定されず、確実にポケット内に留置可能である。そして、留め具１８とその両側のクリップ２２とにより胸ポケット３８端部が狭持され、確実に固定されるため、屈み込んでも落下しないものである。また、係止部２６、及び被係止部２０が面ファスナにより形成されるため、保持帯２６の開閉が簡単である。さらに、取り出し紐２８により、携帯電話ポケットホルダ１０から携帯電話３６を、容易に取り出すことができるものである。
【００１８】
なお、係止部２６、及び被係止部２０は、脱着可能に固定できればよいため、樹脂などから成るバックル型に形成された係止部材でも良い。この場合、留め具１８の外側に、雌部材を設け、保持帯端部２４ａに雄部材を取り付けて、連結時に互いに嵌合させる。これにより、保持帯２４に携帯電話が包み込まれ、収納部１２へ確実に収納されるものである。さらに、ストラップ取付部１６にコイル状に形成された伸縮部を有するストラップ１５を取り付けて、ストラップ１５に設けられた図示しないクリップによりポケット内部端部を狭持させると、万一この収納部１２がポケットから落下しても、地面に落下しないものである。
【００１９】
なお、この発明の携帯電話ポケットホルダは上記実施形態に限定されるものではなく、ガイド片の形状は、携帯電話を保持帯にて包み込んだ際に、収納部からズレ落ちない程度に、凸状に形成されていればよいため、ガイド片の形状等は適宜設定可能なものである。また、クリップは、ポケット端部を狭持可能であれば、形状や大きさ等は適宜選択可能である。さらに、各部材の形状や素材など適宜変更可能である。
【図面の簡単な説明】
【００２０】
【図１】この発明の一実施形態の携帯電話ポケットホルダを示す斜視図である。
【図２】この実施形態の携帯電話ポケットホルダを示す正面図（ａ）と、右側面図（ｂ）である。
【図３】この実施形態の携帯電話ポケットホルダを示す背面図である。
【図４】この実施形態の携帯電話ポケットホルダの使用状態を示す斜視図である。
【図５】この実施携帯の携帯電話ポケットホルダの使用状態を示す部分断面図である。
【符号の説明】
【００２１】
１０  携帯電話ポケットホルダ
１２  収納部
１４  ガイド片
１８  留め具
２０  被係止部
２２  クリップ
２４  保持帯
２６  係止部
２８  取り出し紐
３６  携帯電話
【図１】
2007282914.tif 000003
【図２】
2007282914.tif 000004
【図３】
2007282914.tif 000005
【図４】
2007282914.tif 000006
【図５】
2007282914.tif 000007